(57)【要約】      （修正有）【課題】無方向性に電気接続される環状型コネクタを提供する。【解決手段】環状型コネクタ１０は、オスプラグ１２と、メスソケット１４とを備える。オスプラグは、第１環状本体と、第３環状本体と、第１電極組立体１２６と、第３電極組立体１２８とを備える。メスソケットは、第１台座体と、第２環状本体と、第４環状本体と、第２台座体と、第２電極組立体と、第４電極組立体とを備える。メスソケットの中心点から外向きにそれぞれ第２台座体と、第４環状本体と、第２環状本体と、第１台座体とが配列される。無方向性の電気的接続を実現するために、第３環状本体を第２環状本体と第４環状本体との間に挿し込まれることによって、オスプラグとメスソケットとが結合される。【選択図】図１
0003231388.tif 000002
【実用新案登録請求の範囲】
【請求項１】
第１回路板と第２回路板との間に適用される環状型コネクタであって、
前記第１回路板と接続するためのオスプラグと、前記第２回路板と接続するためのメスソケットとを備え、
前記オスプラグは、第１環状本体と、前記第１環状本体に積み重ねられる第３環状本体と、第１電極組立体と、第３電極組立体とを有し、前記第１電極組立体の第１端を設置するために、前記第１環状本体の内周縁に第１溝体が形成され、前記第１電極組立体の第２端を設置するために、前記第３環状本体の内周縁に第３溝体が形成され、前記第３電極組立体の第１端を設置するために、前記第１環状本体の外周縁に第５溝体が形成され、前記第３電極組立体の第２端を設置するために、前記第３環状本体の外周縁に第７溝体が形成され、
前記メスソケットは、第１台座体と、第２環状本体と、第４環状本体と、第２台座体と、第２電極組立体と、第４電極組立体とを有し、前記メスソケットの中心点から外向きにそれぞれ前記第２台座体と、前記第４環状本体と、前記第２環状本体と、前記第１台座体とが配列され、前記第１台座体と前記第２環状本体との間に前記第２電極組立体が設置され、前記第４環状本体と前記第２台座体との間に前記第４電極組立体が設置され、前記第２電極組立体の第１端を設置するために、前記第２環状本体に前記第７溝体に対応する第２溝体が形成され、前記第４電極組立体の第１端を設置するために、前記第４環状本体に前記第３溝体に対応する第４溝体が形成され、前記第２電極組立体及び前記第４電極組立体のうちの少なくとも一方は、フローティング構造を有し、
前記第３環状本体が前記第２環状本体と前記第４環状本体との間に挿し込まれることによって、前記オスプラグと前記メスソケットとが結合され、前記第３電極組立体の第２端を前記第２電極組立体の第１端に電気的に接続させ、前記第１電極組立体の第２端を前記第４電極組立体の第１端に電気的に接続させることを特徴とする、環状型コネクタ。
【請求項２】
前記フローティング構造は、前記第２電極組立体の第１端と第２端との間に形成され、
かつ前記フローティング構造は、前記第４電極組立体の第１端と第２端との間に形成され、
前記フローティング構造の形状は、略Ｓ字形状であることを特徴とする、請求項１に記載の環状型コネクタ。
【請求項３】
前記第２電極組立体は、複数の第２電極から構成され、
前記第２環状本体の中心点から前記複数の第２電極同士の間により挟まれる最小角度の範囲は、前記第２電極組立体の第２端が前記第２回路板に半田付け接続される半田サイズに対応していることを特徴とする、請求項１に記載の環状型コネクタ。
【請求項４】
前記第４電極組立体は、複数の第４電極から構成され、
前記第４環状本体の中心点から前記複数の第４電極同士の間により挟まれる最小角度の範囲は、前記第４電極組立体の第２端が前記第２回路板に半田付け接続される半田サイズに対応していることを特徴とする、請求項１に記載の環状型コネクタ。
【請求項５】
前記第２環状本体の前記第２電極組立体の個数は、前記第４環状本体の前記第４電極組立体の個数より少なくなく、
前記第２電極組立体は、複数の第２電極から構成され、
前記第４電極組立体は、複数の第４電極から構成され、
前記複数の第２電極の配列位置と前記複数の第４電極の配列位置とは、対称または非対称に形成されることを特徴とする、請求項１に記載の環状型コネクタ。
【請求項６】
前記第１電極組立体及び前記第３電極組立体同士は、互いに電力信号と制御信号との独立モードを提供し、
前記第２電極組立体及び前記第４電極組立体同士は、互いに前記電力信号と前記制御信号との独立モードを提供することを特徴とする、請求項１に記載の環状型コネクタ。
【請求項７】
前記第１電極組立体または前記第３電極組立体に対しては、同時に電力信号と制御信号との混合モードを提供し、
前記第２電極組立体または前記第４電極組立体は、同時に前記電力信号と前記制御信号との混合モードを提供することを特徴とする、請求項１に記載の環状型コネクタ。
【請求項８】
前記第１電極組立体、前記第３電極組立体、前記第２電極組立体及び前記第４電極組立体は、それぞれ電力信号または制御信号を供給することを特徴とする、請求項１に記載の環状型コネクタ。
【請求項９】
第１環状本体と、第３環状本体と、第１電極組立体と、第３電極組立体とを有する環状型コネクタのオスプラグであって、
前記第１環状本体は、その内周縁に第１溝体が形成され、その外周縁に第５溝体が形成され、
前記第３環状本体は、前記第１環状本体に積み重ねられ、その内周縁に第３溝体が形成され、その外周縁に第７溝体が形成され、
前記第１電極組立体は、その第１端が前記第１溝体に設置され、その第２端が前記第３溝体に設置され、
前記第３電極組立体は、その第１端が前記第５溝体に設置され、その第２端が前記第７溝体に設置されることを特徴とする、環状型コネクタのオスプラグ。
【請求項１０】
第１台座体と、第２環状本体と、第４環状本体と、第２台座体と、第２電極組立体と、第４電極組立体とを有する環状型コネクタのメスソケットであって、
前記第１台座体中に設置される前記第２環状本体に第２溝体が形成され、
前記第２環状本体中に設置される前記第４環状本体に第４溝体が形成され、
前記第２台座体は、前記第４環状本体中に設置され、
前記第１台座体と前記第２環状本体との間に設置される前記第２電極組立体の第１端が前記第２溝体に設置され、
前記第２電極組立体は、フローティング構造を有し、
前記第４環状本体と前記第２台座体との間に設置される前記第４電極組立体の第１端が前記第４溝体に設置され、
前記第４電極組立体は、フローティング構造を有し、
前記メスソケットの中心点から外向きにそれぞれ前記第２台座体と、前記第４環状本体と、前記第２環状本体と、前記第１台座体とが配列されることを特徴とする、環状型コネクタのメスソケット。
【考案の詳細な説明】
【技術分野】
【０００１】
本考案は、コネクタの技術分野に関し、特に、無方向性に電気接続される環状型コネクタに関するものである。
【背景技術】
【０００２】
従来のコネクタは、オスプラグと、メスソケットとを備え、オスプラグとメスソケットとを結合することにより、電力と信号を伝達する目的を達成することができる。
【０００３】
従来のコネクタは、通常、結合の目的を達成するために、普通では操作者が視認できる範囲内で行われることとなる。従って、オスプラグとメスソケットとの位置関係がほぼ確認できるので、コネクタの機構設計、例えば、面取り角や傾斜面などの機構設計によって、オスプラグとメスソケットとを互いに結合するようにして操作者を助けることができる。
【０００４】
しかしながら、いくつかの電子製品の適用シーンにおいては、オスプラグ及び／またはメスソケットを見える状態で電気的な接続を実現することが容易ではない場合がある。つまり、従来のコネクタでは、オスプラグとメスソケットとの間でいわゆるブラインド嵌挿を行うことができないという問題がある。特に、従来のコネクタは、通常、方向性を有しているので、不用意に挿し込んでしまうと、オスプラグとメスソケットとが破損して交換しなければならない場合が生じ、ひどいときには電子製品自体が損傷破壊されてしまうことになり得る。
【０００５】
従来のコネクタにおいては、誤って挿し込むことを防止する構造に設計されているものの、コネクタの寸法微小化を進めた結果、そのような構造は、力を過大に加えると、誤差し込みを防止する構造が破壊されてしまうことが頻繁かつ容易に起こり得る。
【０００６】
これに鑑み、本考案は、従来のコネクタにより生じる問題または解決できない問題を解決するために、環状型コネクタを提案する。
【考案の概要】
【考案が解決しようとする課題】
【０００７】
本考案の第１の目的は、オスプラグとメスソケットとを提供し、オスプラグとメスソケットとにより無方向性のブラインド嵌挿接続を実現することができる環状型コネクタを提供することにある。
【０００８】
本考案の第２の目的は、上記の環状型コネクタにおいて、オスプラグとメスソケットとは、環状構造をそれぞれ別々に提供し、かつそれぞれの環状構造に提供される相応の電極組立体は、複数の環状構造の結合により、電極組立体が、オスプラグとメスソケットとの間で電力伝達及び制御信号伝達のうちの少なくとも一方を実現できるものを提供することにある。
【０００９】
本考案の第３の目的は、上記の環状型コネクタにおいて、環状構造に提供される電極組立体の個数を、実際製品の応用要求に応じて調整して設定することができるものを提供することにある。
【００１０】
本考案の第４の目的は、上記の環状型コネクタにおいて、多数個の環状構造において、各環状構造の電極組立体が、独立した制御信号伝達及び／または電力伝達を含む独立モードを提供することにある。
【００１１】
本考案の第５の目的は、上記の環状型コネクタにおいて、環状構造の電極組立体の電極が、同時に制御信号伝達と電力伝達とを含む混合モードを提供することにある。
【００１２】
本考案の第６の目的は、上記の環状型コネクタにおいて、多数個の環状構造は、各環状構造ごとに提供される電極組立体の電極の個数が、同じであってもよく、異なってもよく、かつ多数個の環状構造の間の電極組立体の位置が、対称または非対称の配置に設計されているものを提供することにある。
【００１３】
本考案の第７の目的は、上記の環状型コネクタにおいて、電極組立体の多数個の電極の間の距離が、等間隔距離であってもよく、または非等間隔距離であってもよいものを提供することにある。
【００１４】
本考案の第８の目的は、上記の環状型コネクタにおいて、環状構造において、フローティング構造を有する電極組立体を用いて、オスプラグとメスソケットとのブラインド嵌挿特点をより容易に実現することができるものを提供することにある。
【００１５】
本考案の第９の目的は、上記の環状型コネクタにおいて、多数個の環状構造は、大寸法の環状構造で小寸法の環状構造を被覆する方式を採用し、例えば、同心円の構築を採用するものを提供することにある。
【００１６】
本考案の第１０の目的は、上記の環状型コネクタにおいて、第１環状本体と、第３環状本体と、第１電極組立体と、第３電極組立体とを有するオスプラグを提供することにある。
【００１７】
本考案の第１１の目的は、上記の環状型コネクタにおいて、第１台座体と、第２環状本体と、第４環状本体と、第２台座体と、第２電極組立体と、第４電極組立体とを有するメスソケットを提供することにある。
【００１８】
本考案の第１２の目的は、上記の環状型コネクタにおいて、ディスプレイ分野、自動車用分野またはその他の電気的な接続が必要な応用分野に適用されるものを提供することにある。
【課題を解決するための手段】
【００１９】
上記の目的と他の目的を達成するために、本考案は、第１回路板と第２回路板とに適用される環状型コネクタを提供する。環状型コネクタは、オスプラグと、メスソケットとを備える。オスプラグは、前記第１回路板と接続することができる。オスプラグは、第１環状本体と、第３環状本体と、第１電極組立体と、第３電極組立体とを有する。第３環状本体は、第１環状本体に積み重ねられる。第１電極組立体の第１端を設置するために、第１環状本体の内周縁に第１溝体が形成される。第１電極組立体の第２端を設置するために、第３環状本体の内周縁に第３溝体が形成される。第３電極組立体の第１端を設置するために、第１環状本体の外周縁に第５溝体が形成される。第３電極組立体の第２端を設置するために、第３環状本体の外周縁に第７溝体が形成される。メスソケットは、第２回路板と接続することができる。メスソケットは、第１台座体と、第２環状本体と、第４環状本体と、第２台座体と、第２電極組立体と、第４電極組立体とを有する。メスソケットの中心点から外向きにそれぞれ第２台座体と、第４環状本体と、第２環状本体と、第１台座体とが配列される。第１台座体と第２環状本体との間に第２電極組立体が設置され、第４環状本体と第２台座体との間に第４電極組立体が設置される。また、第２電極組立体の第１端を設置するために、第２環状本体に第２溝体が形成され、第４電極組立体の第１端を設置するために、第４環状本体に第４溝体が形成される。その内、第２溝体は、第７溝体に対応し、第４溝体は、第３溝体に対応し、及び第２電極組立体及び第４電極組立体のうちの少なくとも一方は、フローティング構造を有する。その内、オスプラグとメスソケットとを結合した後、第３環状本体が第２環状本体と第４環状本体との間に差し込まれることで、第３電極組立体の第２端を第２電極組立体の第１端に電気的に接続させ、第１電極組立体の第２端を第４電極組立体の第１端に電気的に接続させる。
【００２０】
上記の目的と他の目的を達成するために、本考案は、第１環状本体と、第３環状本体と、第１電極組立体と、第３電極組立体とを有する環状型コネクタのオスプラグを提供する。第１環状本体は、その内周縁に第１溝体が形成され、その外周縁に第５溝体が形成される。第３環状本体は、第１環状本体に積み重ねられる。第３環状本体は、その内周縁に第３溝体が形成され、その外周縁に第７溝体が形成される。第１電極組立体の第１端が第１溝体に設置され、その第２端が第３溝体に設置される。第３電極組立体の第１端が第５溝体に設置され、その第２端が第７溝体に設置される。
【００２１】
上記の目的と他の目的を達成するために、本考案は、第１台座体と、第２環状本体と、第４環状本体と、第２台座体と、第２電極組立体と、第４電極組立体とを有する環状型コネクタのメスソケットを提供する。第２環状本体は、第１台座体中に設置される。第２環状本体に第２溝体が形成される。第４環状本体は、第２環状本体中に設置され、第４環状本体に第４溝体が形成される。第２台座体は、第４環状本体中に設置される。第２電極組立体は、第１台座体と第２環状本体との間に設置され、第２電極組立体の第１端が第２溝体に設置される。その内、第２電極組立体は、フローティング構造を有する。第４電極組立体は、第４環状本体と第２台座体との間に設置され、第４電極組立体の第１端が第４溝体に設置される。その内、第４電極組立体は、フローティング構造を有する。その内、メスソケットの中心点から外向きにそれぞれ第２台座体と、第４環状本体と、第２環状本体と、第１台座体とが配列される。
【考案の効果】
【００２２】
現有の技術に比べて、本考案が提供する環状型コネクタは、操作者の方で無方向性に接続される利便性を実現し、かつ設計者にとっては、限られた空間内に百本以上に達する端子（即ち、本考案で称する電極）を設計することができ、かつ本考案は、１個の環状構造において電力伝達の設計と制御信号伝達の設計とを同時に行うことができるとともに、異なる環状構造において独立した電力伝達の設計と制御信号伝達の設計とをそれぞれ別々に行うことができるので、設計者により、限られた空間でより多くの端子と各端子の伝達に基づく設計を可能にすることから、より複雑でよりハイエンド分野への応用を実現することができる。
【図面の簡単な説明】
【００２３】
【図１】本考案の一実施形態の環状型コネクタの構造模式図である。
【図２】本考案の図１の環状型コネクタのオスプラグを説明する下面図である。
【図３】本考案の図１の環状型コネクタのメスソケットを説明する上面図である。
【図４】本考案の図３のメスソケットの第２環状本体と第１台座体を説明する上面図である。
【図５】本考案の図３のメスソケットの第４環状本体と第２台座体を説明する上面図である。
【図６】本考案の図３のメスソケットの別の実施形態を説明する模式図である。
【図７（ａ）】本考案の図１のオスプラグとメスソケットとの結合前を示す上面図である。
【図７（ｂ）】本考案の図７（ａ）のオスプラグとメスソケットとの結合前を示すＡ−Ａ断面側面図である。
【図８】本考案の図３のメスソケットの第４環状本体を説明する側面図である。
【図９】本考案の図８の第４環状本体を説明する一部拡大上面図である。
【図１０】本考案の図１の環状型コネクタの接続を説明する側面図である。
【考案を実施するための形態】
【００２４】
＜第１実施形態＞
本考案の一実施形態の環状型コネクタの構造模式図である図１を参照する。図１において、環状型コネクタ１０は、第１回路板２と第２回路板４とに適用され、その接続方式は、本考案の図１の環状型コネクタの接続を説明する側面図である図１０を参照することができる。一実施形態において、第１回路板２は、表示パネル（未図示）の一部であってもよく、第２回路板４は、例えば、壁（未図示）の枠体に設置されてもよく、第１回路板２に設置されるオスプラグ１２と、第２回路板４に設置されるメスソケット１４とを結合することにより、表示パネルは、第１回路板２のオスプラグ１２を介してメスソケット１４からの制御信号と電力信号を受信することができる。
【００２５】
図１に戻って参照すると、環状型コネクタ１０は、オスプラグ１２と、メスソケット１４とを備える。図１において、メスソケット１４のほか、オスプラグ１２にも、第１溝体１２２２と、第５溝体１２２４と、第１電極組立体１２６と、第１電極組立体１２６の第１端１２６２と、第３電極組立体１２８と、第３電極組立体１２８の第１端１２８２とが同時に示されている。さらに、本実施形態において、環状型コネクタ１０は、円形環状であるものを例として説明し、他の実施形態において、環状型コネクタ１０は、さらに矩形環状、偶数辺形環状や奇数辺形環状などの環状体であってもよい。オスプラグ１２の詳細な説明は、図２を併せて参照することができ、メスソケット１４の詳細な説明は、図３〜図６を併せて参照することができる。
【００２６】
本考案の図１のオスプラグを説明する下面図である図２を参照する。図２において、オスプラグ１２には、第１環状本体１２２と、第３環状本体１２４と、第１電極組立体１２６の第２端１２６４と、第３電極組立体１２８の第２端１２８４と、第３溝体１２４２と、第５溝体１２２４と、第７溝体１２４４とが示されている。
【００２７】
第１環状本体１２２と第３環状本体１２４は、いずれも円形環状であり、かつ第１環状本体１２２の直径が第３環状本体１２４の直径より大きい。本実施形態において、第３環状本体１２４は、第１環状本体１２２の上方に積み重ねられることにより、第３環状本体１２４を第１環状本体１２２から突出させ、その模式図は、図７（ｂ）を参照することができ、それは第１環状本体１２２と、第３環状本体１２４との結合を示す模式図である。
【００２８】
図２に戻って参照すると、第１環状本体１２２において、図１に示すような第３電極組立体１２８の第１端１２８２を設置するために、その外周縁の部分に第５溝体１２２４が形成される。その内、第３電極組立体１２８の第１端１２８２は、第１回路板２からの制御信号及び／または電力信号（未図示）を受信するために、第１回路板２に半田付け接続するために用いられる。なお、第３電極組立体１２８の第２端１２８４は、また、図２の第１環状本体１２２を通り抜けて第３環状本体１２４の第７溝体１２４４から露呈している。図１中のような第１電極組立体１２６の第１端１２６２を設置するために、第１環状本体１２２の内周縁に第１溝体１２２２が形成される。第１電極組立体１２６の第１端１２６２も、第１回路板２からの制御信号及び／または電力信号（未図示）を受信するために、第１回路板２に半田付け接続するために用いられる。
【００２９】
第３環状本体１２４においては、上記に言及したように、その外周縁に第７溝体１２４４が形成されるほか、その内周縁に第３溝体１２４２が形成されてもよい。第３溝体１２４２は、第１電極組立体１２６の第２端１２６４を設置するために用いられる。
【００３０】
前述において、第５溝体１２２４と第７溝体１２４４の個数は、第３電極組立体１２８の個数より多いか、または等しく、及び第１溝体１２２２と第３溝体１２４２の個数は、第１電極組立体１２６の個数より多いか、または等しい。
【００３１】
本考案の図１のメスソケットを説明する上面図である図３を参照する。図３において、メスソケット１４には、第１台座体１４２と、第２環状本体１４４と、第４環状本体１４６と、第２台座体１４８と、第２電極組立体１４１０と、第４電極組立体１４１２とが示されている。第１台座体１４２と第２台座体１４８は、第２回路板４に固定されてもよい。メスソケット１４の中心点から外向きにそれぞれ第２台座体１４８と、第４環状本体１４６と、第２環状本体１４４と、第１台座体１４２とが配列される。
【００３２】
本考案の図３の第２環状本体と第１台座体を説明する上面図である図４を参照する。図４において、第１台座体１４２の材質は、例えば、プラスチックのような非導電性を有する材質であってもよい。第１台座体１４２の外周縁に多数個の溝体１４２２が形成され、複数の溝体１４２２は、第２電極組立体１４１０の第２端１４１０４を露出するために、第２環状本体１４４の第２溝体１４４２に対応する。第２電極組立体１４１０の第２端１４１０４は、第２回路板４からの制御信号及び／または電力信号（未図示）を受信するために、第２回路板４に半田付け接続するために用いられる。ここで、第１台座体１４２と第２環状本体１４４との間に第２電極組立体１４１０が設置される。第２電極組立体１４１０は、前述の第２端１４１０４が複数の溝体１４２２から露呈している以外、第２電極組立体１４１０は、さらにフローティング構造と、第１端１４１０２とを提供し、第２電極組立体１４１０の材質は、例えば、金属のような導電的な材質であってもよい。その内、フローティング構造の形状は、即ち、図４に図示のアルファベットＳに類似する形状であり、フローティング構造は、第２電極組立体１４１０の第１端１４１０２と第２端１４１０４との間に形成され、外力が第２環状本体１４４（または第４環状本体１４６）に作用するとき、フローティング構造を変形させる変形量に応じて第２環状本体１４４と第１台座体１４２との間の変位量を変化することができ、及び第２電極組立体１４１０の第１端１４１０２が第２溝体１４４２から露呈しており、第２回路板４からの制御信号及び／または電力信号を伝達するために用いられ、また、第２溝体１４４２は、図２の第３環状本体１２４の第７溝体１２４４に対応して設置される。
【００３３】
このほか、第２電極組立体１４１０は、複数の第２電極から構成される。第２環状本体１４４の中心点Ｏ（即ち、円心）から複数の第２電極同士の間により挟まれる最小角度の範囲は、第２電極組立体１４１０の第２端１４１０４が第２回路板４に半田付け接続される半田サイズに関連しており、簡単に言えば、第２電極組立体１４１０の隣り合う第２端１４１０４の間には、半田付け接続の過程において干渉による短絡を発生しない場合であれば、第２電極組立体１４１０の隣り合う第２端１４１０４の最小角度θ１を０度に向けて近づけるようにすることができる。ここでは、最小角度θ１の範囲が７度より大きいか、または等しいことを例として説明する。
【００３４】
本考案の図３の第４環状本体と第２台座体を説明する上面図である図５を参照する。図５において、第２台座体１４８の材質は、例えば、プラスチックのような非導電性の材質であってもよい。第２台座体１４８の内周縁に多数個の溝体１４８２が形成され、いわば図５の第２台座体１４８の底部に形成され、複数の溝体１４８２は、第４電極組立体１４１２の第２端１４１２４を露出するために、第４環状本体１４６の第４溝体１４６２に対応する。第４電極組立体１４１２の第２端１４１２４は、第２回路板４からの制御信号及び／または電力信号（未図示）を受信するために、第２回路板４に半田付け接続するために用いられる。ここで、第２台座体１４８と第４環状本体１４６との間に第４電極組立体１４１２が設置される。第４電極組立体１４１２は、前述の第２端１４１２４が複数の溝体１４８２から露呈している他、第４電極組立体１４１２は、さらにフローティング構造と、第１端１４１２２とを提供し、第４電極組立体１４１２の材質は、例えば、金属のような導電性の材質であってもよい。その内、フローティング構造の形状は、即ち、図５に図示のアルファベットＳに類似する形状であり、フローティング構造は、第４電極組立体１４１２の第１端１４１２２と第２端１４１２４との間に形成され、外力が第４環状本体１４６（または第２環状本体１４４）に作用するとき、フローティング構造を変形させる変形量に応じて第４環状本体１４６と第２台座体１４８との間の変位量を変化することができるとともに、第４電極組立体１４１２の第１端１４１２２が第４溝体１４６２から露呈しており、第２回路板４からの制御信号及び／または電力信号を伝達するために用いられる。また、第４溝体１４６２は、図２の第３環状本体１２４の第３溝体１２４２に対応して設置される。別の実施形態において、本考案の図３の第４環状本体を説明する側面図である図８を参照することができる。図８において、第４電極組立体１４１２の第１端１４１２２を容易に設置するために、第４溝体１４６２は、小平面を表現する設計が可能であり、第４電極組立体１４１２の第１端１４１２２を第４溝体１４６２にぴったりと設置するために供され、同様の設計は、本考案のその他の溝体にも適用できる。本考案の図８の第４環状本体を説明する一部拡大上面図である図９を併せて参照することができる。図９において、第４溝体１４６２には、小平面である設置が示されており、第４電極組立体１４１２の第１端１４１２２を設置するために用いられる。
【００３５】
第４電極組立体１４１２は、複数の第４電極から構成される。第４環状本体１４６の中心点Ｏ（即ち、円心）から複数の第４電極同士の間により挟まれる最小角度の範囲は、第４電極組立体１４１２の第２端１４１２４が第２回路板４に半田付け接続される半田サイズに関連しており、簡単に言えば、第４電極組立体１４１２の隣り合う第２端１４１２４の間には、半田付け接続の過程において干渉による短絡を発生しない場合であれば、第４電極組立体１４１２の隣り合う第２端１４１２４の最小角度θ２を０度に向けて近づけるようにすることができる。ここでの最小角度θ２の範囲は、前述の最小角度θ１の範囲より大きいか、または等しい。
【００３６】
前述の第２環状本体１４４の第２電極組立体１４１０の個数は、第４環状本体１４６の第４電極組立体１４１２の個数より多いか、または等しく、及び第２電極組立体１４１０の第２電極の配列位置と第４電極組立体１４１２の第４電極の配列位置とは、対称に形成されてもよく、または非対称に形成されてもよい。例を挙げて言えば、図３の第１突起部組立体１４４４と第２突起部組立体１４６４との設置としては、円環上に多数個のブロックＡ、Ｂ、ＣとＤを分割することができるので、現在のブロックＡ、Ｂ、ＣとＤ内の第２電極組立体１４１０の第２電極の個数は、第４電極組立体１４１２の第４電極の個数と同一である。しかしながら、その他の実施形態において、配列位置は、対称のブロックのみにしか存在しない場合があり、例えば、第２電極及び／または第４電極は、ブロックＡとブロックＣとの対角線ブロックのみにある。しかしながら、配列位置は、非対称のブロックに存在する場合もあり、例えば、第２電極及び／または第４電極は、ブロックＡとブロックＢとの近隣ブロックのみにある。
【００３７】
前述に続き、個数と配列位置の設置を除くほか、第１電極組立体１２６及び第３電極組立体１２８同士は、互いに電力信号と制御信号との独立モードを提供し、及び第２電極組立体１４１０及び第４電極組立体１４１２同士は、互いに電力信号と制御信号との独立モードを提供し、及び第１電極組立体１２６または第３電極組立体１２８には、同時に電力信号と制御信号との混合モードを提供し、及び第２電極組立体１４１０または第４電極組立体１４１２には、同時に電力信号と制御信号との混合モードを提供する。
【００３８】
＜第２実施形態＞
図３のメスソケットの別の実施形態を説明する模式図である図６を参照する。図６において、メスソケット１４は、前述の実施形態の第１台座体１４２と、第２環状本体１４４と、第４環状本体１４６と、第２台座体１４８と、第２電極組立体１４１０と、第４電極組立体１４１２とを除く以外の構成は、さらに第１蓋体１６と、第２蓋体１８と、第１突起部組立体１４４４と、第２突起部組立体１４６４とを有する。
【００３９】
第１台座体１４２と、第２環状本体１４４と、第４環状本体１４６と、第２台座体１４８と、第２電極組立体１４１０と、第４電極組立体１４１２との記述は、前述の通りであるので、ここでの重複する説明を省略する。
【００４０】
第１蓋体１６は、第２電極組立体１４１０のフローティング構造を遮蔽するために用いられる。
【００４１】
第２蓋体１８は、第４電極組立体１４１２のフローティング構造を遮蔽するために用いられる。
【００４２】
第１蓋体１６を設置して位置決めするために、第１突起部組立体１４４４は、第２環状本体１４４の外周縁に設置される。
【００４３】
第２蓋体１８を設置して位置決めするために、第２突起部組立体１４６４は、第４環状本体１４６の内周縁に設置される。
【００４４】
本考案の図１のオスプラグとメスソケットとの結合前を説明する模式図である図７（ａ）と図７（ｂ）を参照する。図７（ａ）中には、本考案の図１のオスプラグとメスソケットとの結合前を示す上面図が示されており、及び図７（ｂ）中には、本考案の図７（ａ）のオスプラグとメスソケットとの結合前を示すＡ−Ａ断面側面図が示されている。図７（ａ）と図７（ｂ）を用いて前述の実施形態の説明を補助することができる。オスプラグ１２をメスソケット１４に向けて結合しようとするとき、第３環状本体１２４が第２環状本体１４４と第４環状本体１４６との間に差し込まれることで、第３電極組立体１２８の第２端１２８４を第２電極組立体１４１０の第１端１４１０２に電気的に接続させ、第１電極組立体１２６の第２端１２６４を第４電極組立体１４１２の第１端１４１２２に電気的に接続させる。
【符号の説明】
【００４５】
２…第１回路板
４…第２回路板
１０…環状型コネクタ
１２…オスプラグ
１２２…第１環状本体
１２２２…第１溝体
１２２４…第５溝体
１２４…第３環状本体
１２４２…第３溝体
１２４４…第７溝体
１２６…第１電極組立体
１２６２…第１電極組立体の第１端
１２６４…第１電極組立体の第２端
１２８…第３電極組立体
１２８２…第３電極組立体の第１端
１２８４…第３電極組立体の第２端
１４…メスソケット
１４２…第１台座体
１４２２…溝体
１４４…第２環状本体
１４４２…第２溝体
１４４４…第１突起部組立体
１４６…第４環状本体
１４６２…第４溝体
１４６４…第２突起部組立体
１４８…第２台座体
１４８２…溝体
１４１０…第２電極組立体
１４１０２…第２電極組立体の第１端
１４１０４…第２電極組立体の第２端
１４１２…第４電極組立体
１４１２２…第４電極組立体の第１端
１４１２４…第４電極組立体の第２端
１６…第１蓋体
１８…第２蓋体
Ｏ…中心点
θ１，θ２…最小角度  
Ａ，Ｂ，Ｃ，Ｄ…ブロック
【図１】
0003231388.tif 000003
【図２】
0003231388.tif 000004
【図３】
0003231388.tif 000005
【図４】
0003231388.tif 000006
【図５】
0003231388.tif 000007
【図６】
0003231388.tif 000008
【図７（ａ）】
0003231388.tif 000009
【図７（ｂ）】
0003231388.tif 000010
【図８】
0003231388.tif 000011
【図９】
0003231388.tif 000012
【図１０】
0003231388.tif 000013